(57)【要約】【課題】高周波或いは低周波を出力する端子を、手で支持することなく頭皮に対して確実に当接することができる育毛促進装置を提供する。【解決手段】高周波端子３１及びこれを挟む第１及び第２の低周波端子３２１，３２２と、これらの端子３１，３２を支持する本体１と、各端子３１，３２を頭皮Ｓに当接させるように本体１を頭部Ｓに保持する保持部材２とを備え、本体１は、頭部Ｓの前後方向に並ぶ、前部１１、中央部１２、及び後部１３に分割されるとともに、頭部と対向する対向面１１ａ，１２ａ，１３ａそれぞれに上記した各端子３１，３２を備えており、前部１１と中央部１２、及び後部１３と中央部１２とは連結部材１４を介して接離可能に連結され、前部１１及び後部１３は、中央部１２から離間したときに頭部Ｓ側に傾斜可能に構成されている。【選択図】  図２
2005006982.tif 000002
【特許請求の範囲】
【請求項１】
高周波及び低周波のいずれか一方を発生する出力端子と、
前記出力端子を支持する本体と、
前記出力端子を頭皮に当接させるように前記本体を頭部に保持する保持部材とを備え、
前記本体は、頭部の前後方向、或いは左右方向に並ぶ複数の分割部に分割されており、
当該各分割部は、頭部と対向する対向面それぞれに前記出力端子を少なくとも１つ備え、
互いに隣接する前記分割部同士は、連結部材を介して接離可能に連結され、
前記分割部は、隣接する分割部から離間したときに、頭皮に対する前記対向面の角度を調節可能に構成されている育毛促進装置。
【請求項２】
前記複数の分割部のうち隣接する分割部同士が互いに離間したときに、一方の分割部が頭部側に傾斜するように付勢される請求項１に記載の育毛促進装置。
【請求項３】
前記複数の分割部は、頭部の前方から後方へ並ぶ前部、中央部、及び後部からなり、
前記各連結部材の一端部は前記前部または後部に対して揺動可能に取り付けられる一方、前記各連結部材の他端部は前記中央部に対してスライド可能に取り付けられ、
前記前部及び後部は、前記中央部から離間したときに頭部側へ揺動するように付勢される請求項１に記載の育毛促進装置。
【請求項４】
前記各出力端子は対向面からの高さが伸縮自在に構成され、頭皮に向けて突出する方向に付勢されている請求項１から３のいずれかに記載の育毛促進装置。
【請求項５】
前記各分割部には、前記出力端子が複数個配置された端子体が設けられ、
当該複数の出力端子は、低周波を発生し、正極及び負極にそれぞれ接続される第１及び第２の低周波端子から構成される請求項１から４のいずれかに記載の育毛促進装置。
【請求項６】
前記端子体は、前記第１及び第２の低周波端子の間に配置される少なくとも１つの出力端子をさらに備え、当該出力端子は、高周波を発生する高周波端子から構成される請求項５に記載の育毛促進装置。
【発明の詳細な説明】
【０００１】
【発明の属する技術分野】
本発明は、頭皮に対して低周波または高周波を発する育毛促進装置に関するものである。
【０００２】
【従来の技術】
この種の育毛装置としては、例えば特許文献１に示すものがある。この文献に記載の育毛装置はブラシ形に形成され、その先端部に低周波を付与するピン型の第１電極が多数配置される一方、ブラシの柄の部分には第２電極が配設されている。そして、第２電極が配設されたブラシの柄の部分を握った状態で、第１電極を頭皮に当接し、第１及び第２電極の間に低周波の電圧を印加すると、頭皮に低周波の刺激が付与される。これによって、血管が拡張したり、血流が活発化されて、育毛が促進される。
【０００３】
また、同様の装置が特許文献２にも記載されている。この文献には、低周波振動を発生させるブラシを頭皮に当接した状態で、いずれか一方の手にアース棒を握り、ブラシ側に電圧を印加する。これにより、ブラシから低周波の刺激が与えられ、血管が拡張されて、育毛が促進される。
【０００４】
【特許文献１】
特開２０００−１４０１３１号公報
【０００５】
【特許文献２】
特許第２９６４８８４号公報
【０００６】
【発明が解決しようとする課題】
ところが、上記各文献に記載の育毛装置はブラシ形となっているため、頭皮全体に電極からの刺激を付与するには、頭皮全体に亘って電極を移動させる必要があり、育毛作業に長時間を要していた。また、いずれの装置も手でブラシの柄を支持した状態で電極を頭皮に当接させるため、長時間使用すると手が疲れるという問題もある。
【０００７】
本発明は、上記問題を解決するためになされたものであり、高周波或いは低周波を出力する端子を、手で支持することなく頭皮に対して確実に当接することができる育毛促進装置を提供することを目的とする。
【０００８】
【課題を解決するための手段】
本発明は、上記問題を解決するためになされたものであり、高周波及び低周波のいずれか一方を発生する出力端子と、前記出力端子を支持する本体と、前記出力端子を頭皮に当接させるように前記本体を頭部に保持する保持部材とを備え、前記本体は、頭部の前後方向或いは左右方向へ並ぶ複数の分割部に分割されており、当該各分割部は、頭部と対向する対向面それぞれに前記出力端子を少なくとも１つ備え、互いに隣接する前記分割部同士は、連結部材を介して接離可能に連結され、前記分割部は隣接する分割部から離間したときに、頭皮に対する前記対向面の角度を調節可能に構成されている。
【０００９】
この構成によれば、出力端子が取り付けられた本体が保持部材によって頭部に装着されている。したがって、従来例のように装置を手で支持することなく、育毛操作を行うことができる。また、頭部の複数の部分に対して一度に育毛操作を行うことができる。
【００１０】
さらに、出力端子を支持する本体を複数の部分に分割し、各分割部を離間させたときに、頭皮に対する各対向面の角度を調整可能となっている。そのため、各分割部の傾斜を対応する頭皮の傾斜に合わせることで、出力端子を頭皮に対して確実に当接させることができる。その結果、頭部の大きさに関わらず、出力端子からの刺激を確実に頭皮に伝達することができ、育毛をより確実に促進することができる。
【００１１】
ここで、複数の分割部のうち隣接する分割部同士が互いに離間したときに、一方の分割部が頭部側に傾斜するように付勢されることが好ましい。このように構成すると、手動で分割部の角度を調整する必要がなく、分割部が頭部側に付勢されて自動的に角度が調整されるため、本体を頭皮の大きさに容易に対応させることができる。
【００１２】
複数の分割部は、例えば、頭部の前方から後方へ並ぶ前部、中央部、及び後部とすることができ、この場合、各連結部材の一端部を前部または後部に対して揺動可能に取り付ける一方、各連結部材の他端部を中央部に対してスライド可能に取り付け、前部及び後部が、中央部から離間したときに頭部側へ揺動するように付勢されるようにすることができる。
【００１３】
また、以上の構成において、各出力端子の対向面からの高さを伸縮自在に構成し、これら出力端子を頭皮に向けて突出する方向に付勢するように構成することが好ましい。このようにすると、頭皮の曲面に対して、各端子の高さがそれぞれ調整されるため、各端子の先端を頭皮に対して確実に当接させることができる。その結果、低周波及び高周波を、頭皮に対して確実に付与することができる。
【００１４】
また、各分割部に、上記出力端子を複数個配置した端子体を設け、これら複数の出力端子を、低周波を発生し、正極及び負極にそれぞれ接続される第１及び第２の低周波端子で構成することが好ましい。この構成によれば、第１の低周波端子から発せられた低周波が頭皮を通過後、第２の低周波端子へ流れるようになっている。そのため、頭皮に沿って低周波を流すことができ、頭皮に沿って流れる血管に対し、確実に刺激を与えることができる。その結果、血管の拡張や血流の活発化をより確実に行うことができ、育毛を促進することができる。
【００１５】
なお、第１及び第２の低周波端子は、１個ずつでもよいし、それぞれ複数ずつ設けることもできる。また、これらの端子は、必ずしも同じ個数ずつ設ける必要はない。例えば、第１の低周波端子１個に対し、第２の低周波端子を複数個設けることもできる。この場合、第１の低周波端子から発せられる電流が適当な大きさに分割されて各第２の低周波端子に流れるように調整することができる。
【００１６】
また、両低周波端子の間に少なくとも１つの出力端子をさらに設け、この出力端子を高周波を発生する高周波端子にすると、高周波によって頭皮の表面が刺激され、マッサージ効果を付与することができる。その結果、毛穴を開くことができ、育毛剤を効果的に浸透させることができる。しかも、低周波端子に挟まれる位置に、高周波端子が設けられているため、低周波によって刺激を受けた頭皮表面において毛穴を開くことができる。したがって、血流が活発になった部分に対して育毛剤を確実に浸透させることができ、育毛効果をさらに促進することができる。
【００１７】
【発明の実施の形態】
（第１実施形態）
以下、本発明に係る育毛促進装置の第１実施形態について図面を参照しつつ説明する。図１は本実施形態に係る育毛促進装置の斜視図、図２は本体における頭皮と対向する面の平面図、図３は図２のＡ−Ａ線断面図、図４は図２のＢ−Ｂ線断面図である。
【００１８】
図１及び図２に示すように、この装置は、頭皮に刺激を与える高周波端子３１及び低周波端子３２を支持する本体１と、この本体１を頭部に保持する保持部材２とを備えている。本体１は、頭部の前方から後方に向かって、３つの部分、つまり前部１１、中央部１２、及び後部１３に分割されている。図３に示すように、前部１１及び後部１３は中央部１２に対し、頭皮側にやや傾斜した状態で接している。また、図４に示すように、これら３つの部分１１，１２，１３における頭皮Ｓと対向する各対向面１１ａ，１２ａ，１３ａは、頭部Ｓの左右方向のカーブに対応するように、その両端が中央に対して頭部Ｓ側へ傾斜している。
【００１９】
図５は図２のＣ−Ｃ線断面図とその動作を説明する図である。同図に示すように、前部１１と中央部１２、及び後部１３と中央部１１とは、棒状の連結部材１４で接離可能に連結されている。以下、前部１１と中央部１２との連結状態について説明する。
【００２０】
図５（ａ）に示すように、前部１１と中央部１２とは頭部の左右方向に並ぶ２本の連結部材１４によって連結されている（同図では紙面手前の一つのみを図示している）。連結部材１４の前部１１側の端部は、前部１１に対して揺動可能である一方、中央部１２側の端部は、中央部１２に対してスライド可能となっている。より詳細には、中央部１２には、前後方向に延びるレール１２１が形成されており、このレール１２１に沿って連結部材１４がスライド可能となっている。また、連結部材１４は、板バネ１２２によって押圧されており、これによってある程度の負荷をかけないと連結部材１４がスライドしないようになっている。すなわち、前部１１を中央部１２に対して所望の位置まで引っ張ると、板バネ１２２の押圧によって連結部材１４のスライドが停止し、前部１１をその位置で固定することができる。
【００２１】
一方、連結部材１４の前部１１側の端部には、頭部の左右方向（同図の紙面に垂直な方向）に延びる軸１４１が取り付けられており、前部１１は、この軸１４１を中心として揺動可能となっている。また、この軸１４１にはねじりコイルバネ１４２が取り付けられており、これによって前部１１は頭皮側に揺動するように付勢される。なお、前部１１と中央部１２とが当接している場合には、図５（ａ）に示すように、連結部材１４が中央部１２の板バネ１２２によって押圧され、前部１１と中央部１２との当接状態が保持されるため、ねじりコイルバネ１４２の付勢力によって前部１１が揺動されることはない。一方、前部１１を中央部１２から離間すると、図５（ｂ）に示すように、ねじりコイルバネ１４２の付勢力によって前部１１は頭皮Ｓ側に揺動し、中央部１２に対してさらに傾斜した状態となる。
【００２２】
このような機構は、中央部１２と後部１３との間にも同様に設けられている。すなわち、連結部材１４は、中央部１２に対してスライド自在に設けられており、後部１３を中央部１２から引っ張ることで、所望の位置に固定することができる。また、後部１３は、前部１１と同様に、ねじりコイルバネ１４２によって頭皮Ｓ側へ揺動するように付勢されている。
【００２３】
図１に示すように、本体１を頭部に保持するための保持部材２は、中央部１２の両端部に取り付けられる耳パッド２１と、本体１の上方を通って両耳パッド２１間を連結する棒状の弾性アーム２２とから構成されている。弾性アーム２２は、両耳パッド２１を近接させるように付勢しており、これらの間に頭部を挟んで、本体１を頭部に固定できるようになっている。
【００２４】
図２に示すように、本体１の各対向面１１ａ，１２ａ，１３ａには、複数の高周波端子３１と、これらを挟むように配置された複数の低周波端子３２を有する端子体３が取り付けられている。また、この本体１は、図示を省略する制御装置に接続されており、この制御装置によって高周波、或いは低周波の強弱、駆動時間等が制御される。
【００２５】
高周波端子３１は、ネオン管で構成され、図示を省略する電源によって２００〜３００Ｖの高周波電圧が印加されるようになっている。このときの高周波電圧の周波数は、４００〜６００ｋＨｚであることが好ましく、４８０〜５２０ｋＨｚであることがさらに好ましい。この周波数で電圧を印加すると、高周波による振動を頭皮Ｓに沿って効果的に伝達させることができるからである。また、高周波端子３１は、対向面１１からの高さが伸縮自在に構成され、図示を省略するバネによって対向面１１から突出する方向に付勢されている。このときのバネ乗数は、高周波端子３１が頭皮Ｓに対して適度の押圧力を与えながらスムーズに伸縮するように、３０〜８０ｇ／ｃｍとすることが好ましい。
【００２６】
低周波端子３２については、高周波端子３１の一方側に配置された第１の低周波端子３２１が正極に接続され、他方側に配置された第２の低周波端子３２２が負極に接続されており、これら端子間に図示を省略する電源によって低周波のパルス電圧が印加されるようになっている。このとき、印加される電圧は、９〜３５Ｖの間で調節可能となっており、使用者の好みの刺激を付与ことができるようになっている。また、このパルス電圧の周波数は、４００〜６００Ｈｚが好ましく、４３０〜４７０Ｈｚであることがさらに好ましい。というのも、この周波数で電圧を印加すると、頭皮から約４〜６ｍｍの位置を流れ育毛に重要な役割を果たす頭皮下血管網に効果的に低周波端子３２の刺激を付与することができるからである。
【００２７】
また、このとき印加される電圧波形の高さの時間変化を１／ｆゆらぎ変化としている。図６は電圧波形の一例である。こうすることで、リラクゼーション効果を期待することもできる。なお、低周波端子３２も高周波端子３１と同様のバネによって、対向面１１から突出する方向に付勢され、頭皮Ｓと当接することで、その長さが伸縮するようになっている。また、第１及び第２の低周波端子３２１，３２２は、所定間隔をおいて配置されているが、その距離は、例えば２０〜４０ｍｍとすることができる。
【００２８】
次に、上記のように構成された育毛促進装置の使用方法について説明する。まず、耳パッド２１間に頭部を挟み、育毛促進装置を装着する。このとき、装置を装着する頭部の大きさに合わせて、前部１１と中央部１２との距離、及び後部１３と中央部１２との間の距離を調節する。図５（ａ）に示すように、前部１１、中央部１２、及び後部１３が互いに当接した状態が最も曲率半径の大きい頭部Ｓに対応する。一方、図５（ｂ）に示すように、前部１１及び後部１３を中央部１２から離間すると、前部１１及び後部１３は、ねじりコイルバネ１４２により頭部Ｓに向かって傾斜するため、曲率半径の小さい頭部Ｓに対応する。なお、各端子３１，３２は、伸縮自在に構成されているため、頭皮Ｓの傾斜に合わせてその長さが調節され、全ての端子３１，３２を頭皮Ｓに当接させることができる。こうして、頭部の大きさに最も適するように、前部１１及び後部１３を中央部１２から移動させる。
【００２９】
続いて、制御装置によって低周波端子３２に電圧を印加する。これにより、各端子体３において第１及び第２の低周波端子３２１，３２２間に低周波の電流が流れる。この電流Ｌは、上記のように周波数を調節されているため、図７に示すように、頭皮Ｓから約４〜６ｍｍの位置にある頭皮下血管網Ｂに伝達され、血管に沿って端子３２１，３２２間を流れる。したがって、血管に対して効率的に刺激が伝達され、血管を拡張させるとともに、血流を活発化させることができる。
【００３０】
そして、所定時間が経過すると、低周波端子３２への電圧の印加を停止し、高周波端子３１へ電圧を印加する。これにより、高周波端子３１と頭皮Ｓとの間で放電が起こり、図７に示すように、頭皮Ｓに沿って高周波の振動Ｈが付与される。その結果、頭皮Ｓがマッサージされ、毛穴が開かれる。また、放電に伴って周囲の空気がイオン化されるため、オゾンが発生し頭皮Ｓを殺菌することができる。こうして、低周波端子３２、高周波端子３１の順に電圧を印加した後、毛穴が開いた頭皮Ｓに育毛剤を塗布する。
【００３１】
以上のように、本実施形態によれば、高周波及び低周波端子３１，３２が取り付けられた本体１が保持部材２によって頭部に保持されている。したがって、従来例のように装置を手で支持することなく、育毛操作を行うことができる。また、頭部Ｓの複数の領域に対して一度に育毛操作を行うことができる。
【００３２】
また、本体５が３つの部分に分割され、中央部１２に対して前部１１及び後部１３を離間可能とし、さらに頭部Ｓに対して前部１１及び後部１３を傾斜させることができるため、次の効果を得ることができる。すなわち、３つの部分が互いに当接している場合には、曲率半径の大きい頭部Ｓに対応することができる一方、前部１１及び後部１３を中央部１２から離間させると、これにしたがって前部１１及び後部１３の中央部１２に対する傾斜が大きくなり、より小さい頭部Ｓに対して各端子３１，３２を当接させることができる。したがって、頭部Ｓの大きさに関わらず、各端子３１，３２を頭部Ｓに対して確実に当接させることができ、頭皮Ｓに対して高周波及び低周波の効果を確実に作用させることができる。
【００３３】
さらに、第１及び第２の低周波端子３２１，３２２の間に低周波電圧を印加して電流を流しているため、頭皮に沿う方向に刺激を与えることができる。そのため、頭皮Ｓに沿って延びる頭皮下血管網Ｂに対して効率的に刺激を与えることができ、育毛効果を促進することができる。また、第１及び第２の低周波端子３２１，３２２の間に高周波端子３１が配設されているため、低周波端子３２によって血流が活発化された領域内でマッサージが行われ、毛穴を開くことができる。そのため、育毛剤を効果的に浸透させることができるとともに、育毛剤が浸透した領域の血流が促進されているため、育毛効果をさらに高めることができる。
【００３４】
以上、本発明の実施形態について説明したが、本発明は上記各実施形態に限定されるものではなく、その趣旨を逸脱しない限りにおいて、種々の変更が可能である。例えば、上記実施形態では、本体１を前後方向に３つの部分（分割部）に分割してるが、これ以上の数に分割することもできる。また、前後方向のみならず、左右方向に対しても分割することもできる。この場合、隣接する分割部同士が互いに離間したときに、一方の分割部が頭部側に傾斜し頭皮に対する角度を調整できるようになっていればよい。このとき、分割部の角度の調整は、手動で行えるようにしてもよいし、上記実施形態で示したように、ねじりコイルバネによって分割部を傾斜させるようにしてもよい。
【００３５】
また、第１及び第２の低周波端子は、必ずしも同数個ずつ配置する必要はなく、その数が異なっていてもよい。この場合、第１の低周波端子から発せられる電流が適当な大きさに分割され、各第２の低周波端子に対して流れるように調整することができる。
【００３６】
さらに、上記実施形態では、出力端子として、高周波端子３１と低周波端子３２とを用いているが、これに限定されるものではなく、高周波端子或いは低周波端子のいずれか一方のみを本体に取り付けることもできる。また、上記説明では、高周波端子３１としてネオン管を用いているが、高周波を発生するものであれば、ネオン管以外の放電管の他、種々の装置を用いることができる。
【００３７】
【発明の効果】
以上の説明から明らかなように、本発明によれば、高周波或いは低周波を出力する端子を、手で支持することなく頭皮に対して確実に当接することができる。
【図面の簡単な説明】
【図１】本発明に係る育毛促進装置の一実施形態を示す斜視図である。
【図２】図１に示す育毛促進装置の本体の頭皮と対向する面の平面図である。
【図３】図２のＡ−Ａ線断面図である。
【図４】図２のＢ−Ｂ線断面図である。
【図５】図２のＣ−Ｃ線断面図である。
【図６】低周波端子に印加されるパルス電圧の時間変化を示す図である。
【図７】低周波及び高周波の作用の様子を説明する図である。
【符号の説明】
１    本体
１１  前部
１２  中央部
１３  後部
１４  連結部材
２    保持部材
３    端子体
３１  高周波端子
３２  低周波端子
Ｓ    頭皮
【図１】
2005006982.tif 000003
【図２】
2005006982.tif 000004
【図３】
2005006982.tif 000005
【図４】
2005006982.tif 000006
【図５】
2005006982.tif 000007
【図６】
2005006982.tif 000008
【図７】
2005006982.tif 000009